(57)【特許請求の範囲】
【請求項１】
容器本体と蓋体とを有し、皿部と蓋部とからなるレフィル容器が収納された化粧料容器において、上記蓋体および上記容器本体にこれらを上下方向に一連に連続的に貫通させて形成され、上記皿部を上記蓋部で閉じた状態の上記レフィル容器が上記蓋体の上方から挿入され、上記皿部が該蓋体を経過して上記容器本体へと入り込むとともに、上記蓋部が上記蓋体に入り込む貫通孔と、上記レフィル容器の上記蓋体上方からの上記貫通孔への挿入を許容しつつ、当該レフィル容器を該貫通孔に係脱自在に係合する係合部と、上記レフィル容器に形成され上記係合部を隠蔽する隠蔽部とを備え、上記係合部が、上記貫通孔の蓋体側と前記レフィル容器の上記蓋部との間に形成され、当該蓋部を上記蓋体にその上方から係脱自在に係合する蓋側係合部と、上記貫通孔の容器本体側と上記レフィル容器の前記皿部との間に形成され、当該皿部を上記容器本体に蓋体側から係脱自在に係合する容器側係合部とからなることを特徴とする化粧料容器。
【請求項２】
前記蓋側係合部および前記皿側係合部が、前記蓋部および前記皿部をそれぞれ前記蓋体および前記容器本体に弾性的に係合させる弾性部を備えていることを特徴とする請求項１に記載の化粧料容器。
【発明の詳細な説明】
【０００１】
【発明の属する技術分野】
本発明は、皿部と蓋部とからなるレフィル容器を収納しながらも、その厚さを薄くすることができる化粧料容器に関する。
【０００２】
【従来の技術】
化粧料容器の中には、交換用の化粧料を収納したレフィル容器が用意され、このレフィル容器を入れ替えることで、化粧料容器自体は廃棄することなくそのまま継続的に使用できるものが知られている（例えば、特開平９−６５９２０号公報）。レフィル容器は、化粧料が充填される皿部と、この皿部を開閉自在に覆う蓋部とから構成されることが多い。特に、化粧料が揮発性のものである場合には、当該化粧料の揮発を防ぐ気密性を確保するために、レフィル容器には必要的に蓋部が備えられている。またこのレフィル容器は化粧料容器とは異なり、使い捨ての容器として考えられていて、外観を問わず、その機能性に重点が置かれている。
【０００３】
他方、化粧料容器は容器本体と蓋体とを備え、詰替用のレフィル容器は容器本体の収納部に着脱自在に装着され、蓋体が閉じられることによって化粧料容器の内部に隠蔽状態で収納される。すなわち、この種の化粧料容器にあっては、使い捨てのレフィル容器をその中に納めて、美的外観を容器本体と蓋体とで得るようにしている。
【０００４】
【発明が解決しようとする課題】
ところで、上記従来の化粧料容器は、レフィル容器をその内部に隠蔽して収納するようにしていたため、全体として二重蓋構造、二重底構造となり、厚さの厚いものとなっていた。二重底構造については、化粧料がレフィル容器の皿部に充填されている関係上不可避的なものであって、これによって化粧料容器の厚みが増すこととなっていた。
【０００５】
他方、二重蓋構造については、レフィル容器の蓋部を廃止することが考えられるが、蓋部は流通過程において化粧料を保護する役割や、またレフィル容器単体としての商品価値を高める役目もあり、従って蓋部をレフィル容器に備えること自体は好ましいことである。また特に、レフィル容器に気密性が要求される場合には、蓋部によって皿部を密封状態にできることが必要であって、これに加えて蓋体で容器本体を閉じることからやはり二重蓋構造になることは避けがたく、これによっても化粧料容器の厚みが厚くなってしまうという課題があった。
【０００６】
本発明は上記従来の課題に鑑みて創案されたものであって、皿部と蓋部とからなるレフィル容器を収納しながらも、その厚さを薄くすることができる化粧料容器を提供することを目的とする。
【０００７】
【課題を解決するための手段】
本発明にかかる化粧料容器は、容器本体と蓋体とを有し、皿部と蓋部とからなるレフィル容器が収納された化粧料容器において、上記蓋体および上記容器本体にこれらを上下方向に一連に連続的に貫通させて形成され、上記皿部を上記蓋部で閉じた状態の上記レフィル容器が上記蓋体の上方から挿入され、上記皿部が該蓋体を経過して上記容器本体へと入り込むとともに、上記蓋部が上記蓋体に入り込む貫通孔と、上記レフィル容器の上記蓋体上方からの上記貫通孔への挿入を許容しつつ、当該レフィル容器を該貫通孔に係脱自在に係合する係合部と、上記レフィル容器に形成され上記係合部を隠蔽する隠蔽部とを備え、上記係合部が、上記貫通孔の蓋体側と前記レフィル容器の上記蓋部との間に形成され、当該蓋部を上記蓋体にその上方から係脱自在に係合する蓋側係合部と、上記貫通孔の容器本体側と上記レフィル容器の前記皿部との間に形成され、当該皿部を上記容器本体に蓋体側から係脱自在に係合する容器側係合部とからなることを特徴とする。
【０００９】
さらに、前記蓋側係合部および前記皿側係合部が、前記蓋部および前記皿部をそれぞれ前記蓋体および前記容器本体に弾性的に係合させる弾性部を備えていることを特徴とする。
【００１０】
【発明の実施の形態】
以下に、本発明にかかる化粧料容器の好適な一実施形態を、添付図面を参照して詳細に説明する。図１〜図６に示すように、本実施形態にかかるレフィル容器１を収納するための化粧料容器２は合成樹脂で形成され、主に容器本体３および蓋体４から構成される。容器本体３と蓋体４との間には、容器本体３を開閉するために、当該容器本体３に対して蓋体４を回動自在に連結する蝶番機構５が設けられる。この蝶番機構５は、容器本体３に一対突設された蝶番ブロック６間に、蓋体４に形成された蝶番片７が挟み込まれるとともに、これら蝶番ブロック６から蝶番片７にわたって蝶番ピン８が挿通されて構成され、蝶番ピン８周りに蝶番ブロック６に対して蝶番片７が回動されるようになっている。
【００１１】
また容器本体３と蓋体４との間には、蝶番機構５とは反対側に、容器本体３の閉鎖状態を維持するためのフック機構９が設けられる。このフック機構９は、容器本体３の凹所１０に形成された突起１１と、蓋体４に凹所１０に向かって垂下させて形成され、突起１１に係脱自在に係合するフック１２と、凹所１０内にスライド自在に設けられ、突起１１下の凹所壁面に当接された跳ね上げ片１３を有するプッシュピース１４とから構成され、プッシュピース１４の凹所１０内への押し込み操作により凹所壁面を滑り上がる跳ね上げ片１３によってフック１２が押し上げられ、これによってフック１２が突起１１から離脱されて蓋体４による容器本体３の閉鎖状態が解除されるようになっている。
【００１２】
他方、レフィル容器１も合成樹脂で形成され、化粧料が充填される凹部１５が皿側周壁１６によって区画形成された皿部１７と、この皿部１７を開閉自在に閉じて凹部１５を気密に密封する蓋部１８とから構成され、特にこれら蓋部１８と皿部１７とは互いに完全に分離可能に別々に形成される。図示例にあっては、皿側周壁１６の上端部には、凹部１５周りに形成された環状段部１９を介して上方へ突出させて皿側環状シール突起２０が形成される。他方、蓋部１８の外周にはその周方向に沿って、環状段部１９へ向かって垂下させて当該環状段部１９に重ね合わされる蓋側周壁２１が形成されるとともに、蓋側周壁２１の内側には、僅かな隙間を隔てて蓋側環状シール突起２２が形成される。皿部１７に対してその上方から蓋部１８を被せると、蓋側周壁２１が環状段部１９に重ね合わされる過程で、皿側環状シール突起２０は蓋側周壁２１および蓋側環状シール突起２２に内外から挟み込まれ、これによって蓋部１８により皿部１７内部を気密に密封できるようになっている。
【００１３】
特に本実施形態にあっては、化粧料容器２を構成する蓋体４および容器本体３には、これらを上下方向に一連に連続的に貫通させて、皿部１７を蓋部１８で閉じた状態のレフィル容器１が挿入される貫通孔Ｈが形成されるとともに、この貫通孔Ｈとレフィル容器１との間には、レフィル容器１の蓋体４上方からの貫通孔Ｈへの挿入を許容しつつ、レフィル容器１を貫通孔Ｈに係脱自在に係合する係合部２３，２４が備えられる。詳細に説明すると、蓋体４には、レフィル容器１の蓋側周壁２１の外形寸法で、その表裏を貫通する蓋側貫通孔２５が形成され、レフィル容器１の蓋部１８はこの蓋側貫通孔２５を介して蓋体４に取り外し可能に装着される。図示例にあっては、蓋側周壁２１が矩形の平面外形輪郭で形成され、蓋側貫通孔２５も矩形に形成されている。また蓋部１８には、これより外方へ張り出して隠蔽部としての環状庇部２６が形成されている。
【００１４】
この蓋側貫通孔２５を区画形成する蓋体４の周壁面２７と、蓋側貫通孔２５に挿入されて当該蓋体周壁面２７と向かい合う蓋部１８の蓋側周壁２１との間には、蓋部１８を蓋体４にその上方から係脱自在に係合する蓋側係合部２３が設けられる。具体的には、蓋側係合部２３は、フック機構９と蝶番機構５とに挟まれた、蓋体周壁面２７の互いに相対向する左右一対の側面箇所２７ａと、これに対応する蓋側周壁２１の左右一対の側壁箇所２１ａとに形成される。蓋側周壁の側壁箇所２１ａには、適宜間隔を隔てて蓋側係止突起２８が形成される。
【００１５】
また蓋体周壁面の側面箇所２７ａには、蓋側係止突起２８に対応させてこれを蓋体４の表面側から下方へ向かって途中まで切欠して、蓋側係止突起２８を挿入するための蓋側切欠部２９が形成されるとともに、当該蓋側切欠部２９に対して蝶番機構５側に隣接させて連続的に、蓋側係止突起２８を収容するための蓋側保持溝３０が窪ませて形成される。特に蓋側切欠部２９は蓋側保持溝３０に向かって順次先細りに形成され、これにより蓋体４表面側が口広に、また蓋側保持溝３０側に掛止部３１が形成されるようになっており、これにより蓋側係止突起２８は、蓋側切欠部２９に容易に挿入されるとともに、掛止部３１によって蓋側保持溝３０への保持が確実に行われるようになっている。
【００１６】
さらに蓋体周壁面２７には、フック機構９が備えられた前面箇所２７ｂに、これより蓋側貫通孔２５内に向けて突出させて、蓋側切欠部２９から蓋側保持溝３０に向かう方向に弾性変形可能な弾性部としての蓋側ベント板３２が設けられ、この蓋側ベント板３２は図４および図５に示すように、可撓変形されて蓋側係止突起２８の蓋側保持溝３０への挿入を許容し、かつ弾性復元されて蓋側係止突起２８が蓋側保持溝３０から容易に抜脱されることを阻止するようになっている。このような構成を備えた蓋側係合部２３により、レフィル容器１は、蓋側切欠部２９で蓋体４の上方からの貫通孔Ｈへの挿入が許容されつつ、蓋側ベント板３２と蓋側保持溝３０で貫通孔Ｈに係脱自在に係合される。
【００１７】
蓋側保持溝３０は、これに蓋側係止突起２８が係合した際に、蓋部１８の環状庇部２６が蓋側貫通孔２５周りの蓋体４表面に当接する位置に設定され、これにより蓋部１８は蓋体４に対してガタツキなく固定されるようになっている。また環状庇部２６が蓋体４表面に重ね合わされることにより、蓋側切欠部３０が隠蔽されるようになっている。特に、蓋部１８が蓋体４に取り付けられることにより、これら蓋体４および蓋部１８両者の表面によって化粧料容器２としての蓋の外観が得られるようになっている。
【００１８】
他方、容器本体３と皿部１７についても、係止突起と切欠部の位置関係が化粧料容器２とレフィル容器１で反対となっていることを除き、蓋体４と蓋部１８に備えられたと同様な構造が備えられている。すなわち、容器本体３には、レフィル容器１の皿側周壁１６の外形寸法で、その内外を貫通する容器側貫通孔３３が形成され、皿部１７はこの容器側貫通孔３３を介して容器本体３に取り外し可能に装着される。図示例にあっては、皿側周壁１６が矩形の平面外形輪郭で形成され、容器側貫通孔３３も矩形に形成されている。
【００１９】
そしてこの容器側貫通孔３３を区画形成する容器本体３の周壁面３４と、容器側貫通孔３３に挿入されて当該容器本体周壁面３４と向かい合う皿側周壁１６との間には、皿部１７を容器本体３に蓋体４側から係脱自在に係合する容器側係合部２４が設けられる。容器側係合部２４は、フック機構９と蝶番機構５とに挟まれた、容器本体周壁面３４の互いに相対向する左右一対の側面箇所３４ａと、これに対応する皿側周壁１６の左右一対の側壁箇所１６ａとに形成される。容器本体周壁面の側面箇所３４ａには、適宜間隔を隔てて容器側係止突起３５が形成される。
【００２０】
また皿側周壁の側壁箇所１６ａには、皿側係止突起３５に対応させてこれをその底部から上方に向かって途中まで切欠して、皿側係止突起３５を挿入するための皿側切欠部３６が形成されるとともに、当該皿側切欠部３６に対してフック機構９側に隣接させて連続的に、皿側係止突起３５を収容するための皿側保持溝３７が窪ませて形成される。特に皿側切欠部３６は皿側保持溝３７に向かって順次先細りに形成され、これにより皿部１７の底面側が口広に、また皿側保持溝３７側に掛止部３８が形成されるようになっており、これにより皿側係止突起３５は、皿側切欠部３６に容易に挿入されるとともに、掛止部３８によって皿側保持溝３７への保持が確実に行われるようになっている。
【００２１】
さらに容器本体周壁面３４には、フック機構９が備えられた前面箇所３４ｂに、これより容器側貫通孔３３内に向けて突出させて、皿側係止突起３５を皿側保持溝３７から皿側切欠部３６に向かう方向に押圧する弾性変形可能な弾性部としての容器側ベント板３９が設けられ、この容器側ベント板３９は図４および図５に示すように、可撓変形されて皿側係止突起３５の皿側保持溝３７への挿入を許容し、かつ弾性復元されて皿側係止突起３５が皿側保持溝３７から容易に抜脱されることを阻止するようになっている。このような構成を備えた皿側係合部２４により、レフィル容器１は、皿側切欠部３６で蓋体４上方からの貫通孔Ｈへの挿入が許容されつつ、容器側ベント板３９と皿側保持溝３７で貫通孔Ｈに係脱自在に係合される。
【００２２】
次に、本実施形態にかかる化粧料容器２の作用について説明する。容器本体３と蓋体４とからなる化粧料容器２は単独あるいは、レフィル容器１との組み合わせで販売等がされ、貫通孔Ｈにレフィル容器１が取り付けられて使用される。まず、レフィル容器１を化粧料容器２に組み込む際には図１に示すように、皿部１７を蓋部１８で閉じた状態のレフィル容器１を、蓋体４の上方から貫通孔Ｈへと挿入する。レフィル容器１を貫通孔Ｈへ挿入すると、皿部１７は蓋体４を経過して容器本体３へと入り込むとともに、蓋部１８は蓋体４に入り込み、この際、蓋部１８および容器本体３の係止突起２８，３５がそれぞれ蓋体４および皿部１７の切欠部２９，３６に挿入される。
【００２３】
この挿入操作に応じて図４および図５に示すように、ベント板３２，３９はレフィル容器１の切欠部２９，３６への挿入で可撓変形し、その後弾性復帰する過程でレフィル容器１を蓋体４および容器本体３の側面箇所１６ａ，３４ａに沿ってフック機構９側から蝶番機構５側へと貫通孔Ｈ内でスライドさせ、係止突起２８，３５を保持溝３０，３７に滑り込ませる。これにより、レフィル容器１を化粧料容器２に一挙に取り付けることができる。このレフィル容器１の貫通孔Ｈ内でのスライド移動を考慮して、環状庇部２６は蓋部周壁２１と蓋体周壁面２７との間の隙間を隠蔽する大きさに設定されている。
【００２４】
レフィル容器１を取り付けた化粧料容器２を使用する際には、図６に示すように通常の化粧料容器２と同じ用法で、フック機構９の係合を外して蓋体４を開けばよい。また化粧料容器２を閉じる際には、蓋体４を閉じてフック機構９で容器本体３を閉鎖すると、図２および図３に示すように、蓋体４の閉じ動作に伴って蓋部１８により皿部１７を閉じることができ、この際、皿側および蓋側環状シール突起２０，２２の作用で、凹部１５を気密状態に密閉することができる。さらに、レフィル容器１を交換するために取り外す際には、取り付け操作とは反対に、レフィル容器１をベント板３２，３９に抗してフック機構９側へスライド移動させて係止突起２８，３５を保持溝３０，３７から離脱させれば、切欠部２９，３６を介して貫通孔Ｈから取り外すことができる。
【００２５】
以上説明した本実施形態にあっては、化粧料容器２を構成する蓋体４および容器本体３に貫通孔Ｈを形成し、この貫通孔Ｈにレフィル容器１を係脱自在に取り付けるようにしたので、レフィル容器１の蓋部１８や皿部１７をもって化粧料の収納機能を確保しながら、貫通孔Ｈによって二重蓋構造や二重底構造となることを防止でき、化粧料容器２としての厚さを薄くすることができる。
【００２６】
また、レフィル容器１、特にその蓋部１８が蓋側貫通孔２５を介して外部に露出されるので、これら蓋部１８と蓋体４の表面で化粧料容器２の外観が得られることとなり、レフィル容器１の蓋部１８のデザインを各種用意するなどすることで、蓋体４とのコンビネーションによりデザイン的に新奇かつ斬新な化粧料容器２の形態を得ることが可能となる。
【００２７】
さらに、皿部１７を蓋部１８で開閉操作するレフィル容器１をワンタッチで一挙に化粧料容器２に装着することができ、レフィル容器１の交換操作をきわめて簡単に行うことができる。
【００２８】
また、本実施形態では、レフィル容器１を蓋体４の上方から取り付ける構成において、レフィル容器１と化粧料容器２とを係合させるためのベント板３２，３９の作用による蓋部１８と蓋体４との間に生じる隙間や、蓋側係合部２３を構成する蓋側切欠部２９を、環状庇部２６で隠蔽することができるとともに、蓋体４を開いた状態でも、蓋側係合部２３や容器側係合部２４はそれぞれ、蓋体周壁面２７および皿部周壁１６で隠蔽することができるので、これらが化粧料容器２の表面に現れることがなく、外観を良好に維持することができる。
【００２９】
さらに本実施形態では、ベント板３２，３９により化粧料容器２内に収納したレフィル容器１の保持にクッション性をもたせることができ、化粧料容器２が落下されるなどした際に、レフィル容器１に衝撃が加わることを防止でき、皿部１７に充填されている化粧料に割れが生じることなどを防ぐことができる。
【００３０】
図７〜図１０には、本発明にかかる化粧料容器の他の実施形態が示されている。この実施形態は主に、係合部の構造が上記実施形態と異なる。皿部１７の皿側周壁１６および蓋部１８の蓋側周壁２１には側壁箇所１６ａ，２１ａに、蓋側係止突起４０が皿側係止突起４１よりもベント板３２，３９の弾発方向前方へ位置されて形成されている。
【００３１】
また、容器本体周壁面３４および蓋体周壁面２７には、これら係止突起４０，４１に対応させて貫通孔Ｈの貫通方向に沿って一連に連続させて、これら係止突起４０，４１の挿入を受け入れるための切欠部４２が形成される。そして切欠部４２には、蝶番機構５側に隣接させて連続的に、各係止突起４０，４１をそれぞれ収容するための皿側保持溝４３および蓋側保持溝４４が窪ませて形成される。また、蓋体４および容器本体３の周壁面の前面箇所２７ｂ，３４ｂには、蓋体４上方からの係止突起４０，４１の保持溝４３，４４への挿入を許容し、かつ当該保持溝４３，４４から係止突起４０，４１が容易に抜脱されることを阻止するベント板３２，３９がそれぞれ形成される。これにより各係止突起４０，４１は、蓋体４上部から切欠部４２を介して各保持溝４３，４４にそれぞれ挿入され、蓋部１８は蓋体４に、そして皿部１７は容器本体３にそれぞれ離脱可能に係合される。
【００３２】
このような実施形態にあっても上記実施形態とほぼ同様な作用・効果を奏する。特に本実施形態にあっては、切欠部４２が容器本体３から蓋体４に向かって一連に形成される関係上、蓋体４を開いた際に切欠部４２が容器本体３上面および蓋体４裏面に現れてしまう一方で、上記実施形態とは異なり、レフィル容器１を貫通孔Ｈに挿入する際の操作性を向上することができる。
【００３３】
【発明の効果】
以上説明したように本発明の請求項１にかかる化粧料容器にあっては、蓋体および容器本体にこれらを上下方向に一連に連続的に貫通させて形成され、皿部を蓋部で閉じた状態のレフィル容器が蓋体の上方から挿入され、皿部が蓋体を経過して容器本体へと入り込むとともに、蓋部が蓋体に入り込む貫通孔と、レフィル容器の蓋体上方からの貫通孔への挿入を許容しつつ、当該レフィル容器を貫通孔に係脱自在に係合する係合部と、レフィル容器に形成され係合部を隠蔽する隠蔽部とを備え、係合部が、貫通孔の蓋体側とレフィル容器の蓋部との間に形成され、蓋部を蓋体にその上方から係脱自在に係合する蓋側係合部と、貫通孔の容器本体側とレフィル容器の皿部との間に形成され、皿部を上記容器本体に蓋体側から係脱自在に係合する容器側係合部とからなるため、レフィル容器の蓋部や皿部をもって化粧料の収納機能を確保しながら、貫通孔によって二重蓋構造や二重底構造となることを防止でき、化粧料容器としての厚さを薄くすることができる。
【００３４】
また、レフィル容器、特にその蓋部が貫通孔を介して外部に露出されるので、これら蓋部と蓋体の表面で化粧料容器の外観が得られることとなり、蓋部と蓋体とのコンビネーションによりデザイン的に新奇かつ斬新な化粧料容器の形態を得ることが可能となる。さらに、隠蔽部により、レフィル容器の上方からの挿入に伴って化粧料容器の表面に露出される係合部を隠蔽することができ、化粧料容器の外観を良好に維持することができる。皿部を蓋部で開閉操作するレフィル容器をワンタッチで一挙に化粧料容器に装着することができ、レフィル容器の交換操作をきわめて簡単に行うことができる。
【００３５】
また、本発明の請求項２にかかる化粧料容器にあっては、弾性部により化粧料容器内に収納したレフィル容器の保持にクッション性をもたせることができ、化粧料容器が落下されるなどした際に、レフィル容器に衝撃が加わることを防止でき、皿部に充填されている化粧料に割れが生じることなどを防ぐことができる。
【図面の簡単な説明】
【図１】本発明にかかる化粧料容器の好適な一実施形態を示す、レフィル容器を取り外した状態の一部破断斜視図である。
【図２】図１の化粧料容器にレフィル容器を取り付けた状態の側断面図である。
【図３】図１の化粧料容器にレフィル容器を取り付けた状態の正面断面図である。
【図４】図１の化粧料容器にレフィル容器を挿入するときの係合部の作動を説明するための説明図である。
【図５】図１の化粧料容器にレフィル容器を嵌着したときの係合部の作動を説明するための説明図である。
【図６】図１の化粧料容器にレフィル容器を装着して、その蓋体を開いた状態を示す斜視図である。
【図７】本発明にかかる化粧料容器の他の実施形態を示す、レフィル容器を取り外した状態の一部破断斜視図である。
【図８】図７の化粧料容器にレフィル容器を取り付けた状態の側断面図である。
【図９】図７の化粧料容器にレフィル容器を取り付けた状態の正面断面図である。
【図１０】図７の化粧料容器にレフィル容器を装着して、その蓋体を開いた状態を示す斜視図である。
【符号の説明】
１  レフィル容器
２  化粧料容器
３  容器本体
４  蓋体
１７  皿部
１８  蓋部
２３  蓋側係合部
２４  容器側係合部
２６  環状庇部
３２  蓋側ベント板
３９  容器側ベント板
Ｈ  貫通孔
【図１】
0004104884.tif 000002
【図２】
0004104884.tif 000003
【図３】
0004104884.tif 000004
【図４】
0004104884.tif 000005
【図５】
0004104884.tif 000006
【図６】
0004104884.tif 000007
【図７】
0004104884.tif 000008
【図８】
0004104884.tif 000009
【図９】
0004104884.tif 000010
【図１０】
0004104884.tif 000011